(57)【要約】【課題】柱上変圧器の蓋上に営巣防止材を着脱容易に取設するための営巣防止材取付けアタッチメントを提供する。【解決手段】柱上変圧器７の蓋固定具１０上に突設される環状具１１に着脱可能に装着される営巣防止材取付けアタッチメント１Ａであって、環状具１１を着脱可能に挟持する第１の挟持部２と、第１の挟持部２に対して開口部６ａの向きが逆転した状態で取設され、営巣防止材の水平材１３ａを着脱可能に挟持する第２の挟持部５と、を有し、第１の挟持部２は、断面コ又はＵ字形の平板材からなる第１の挟持用板バネ３と、その内側面３ａ上に突設される少なくとも１つの突起４とを具備し、第２の挟持部５は、断面コ又はＵ字形の平板材からなる第２の挟持用板バネ６からなり、環状具１１を第１の挟持部２で挟持した際に、突起４は環状具１１の孔１２に侵入して環状具１１と嵌合構造を形成することを特徴とする営巣防止材取付けアタッチメント１Ａによる。【選択図】図２
2015080420.tif 000002
【特許請求の範囲】
【請求項１】
柱上変圧器の蓋固定具上に突設される環状具に着脱可能に装着される営巣防止材取付けアタッチメントであって、
前記環状具を着脱可能に挟持する第１の挟持部と、
前記第１の挟持部に対して開口部の向きが逆転した状態で取設され、営巣防止材の水平材を着脱可能に挟持する第２の挟持部と、を有し、
前記第１の挟持部は、断面コ又はＵ字形の平板材からなる第１の挟持用板バネと、その内側面上に突設される少なくとも１つの突起とを具備し、
前記第２の挟持部は、断面コ又はＵ字形の平板材からなる第２の挟持用板バネからなり、
前記環状具を前記第１の挟持部で挟持した際に、前記突起は前記環状具の孔に侵入して前記環状具と嵌合構造を形成することを特徴とする営巣防止材取付けアタッチメント。
【請求項２】
前記第２の挟持用板バネは、対向して配される前記平板材同士の幅が狭まったくびれ部を具備することを特徴とする請求項１に記載の営巣防止材取付けアタッチメント。
【請求項３】
前記第２の挟持用板バネは、前記第１の挟持用板バネの折り返し部に埋め込まれていることを特徴とする請求項１又は請求項２に記載の営巣防止材取付けアタッチメント。
【請求項４】
請求項１乃至請求項３のいずれか１項に記載の営巣防止材取付けアタッチメントと、この営巣防止材取付けアタッチメントに着脱可能に保持される営巣防止材と、を有し、
この営巣防止材は、前記第２の挟持部により着脱可能に保持される網部と、
この網部上に直接又は間接的に突設される多数の棘部と、を備えることを特徴とする柱上変圧器営巣防止具。
【発明の詳細な説明】
【技術分野】
【０００１】
本発明は、電柱に取設される柱上変圧器の蓋に営巣防止材を装着させる営巣防止材取付けアタッチメントおよびそれを用いた柱上変圧器営巣防止具に関する。
【背景技術】
【０００２】
従来、電柱に取設される柱上変圧器上は平坦であるためカラス等の営巣に適している。特に、カラスはワイヤー製のハンガー等の金物を営巣材として使用する場合があり、柱上変圧器から突出するブッシングに営巣材の金物が接触すると停電事故が起きる恐れがあった。このため、柱上変圧器上への営巣を防止する必要があった。
その一方で、鳥類の忌避装置としては従来、剛性を有するメッシュ材又は網材に、例えば、長さが１０ｃｍを超える棘を多数突設した形態のものが知られており、鳥類の十分な忌避効果を有することが知られている。
本願発明者は、固定用バンドを用いて上述のような鳥類の忌避装置を、柱上変圧器の蓋の環状具に取設して使用していたが、柱上変圧器のメンテナンスを行う度に固定用バンドを切断して上記忌避装置を取り外す必要がある上、メンテナンス後に再び固定バンドを用いて上記忌避装置を取り付ける必要があり、その作業が煩雑であった。このため、柱上変圧器の蓋に鳥類の忌避装置をワンタッチで着脱できるようなアタッチメントが必要とされていた。
本願発明と同一の解決すべき課題を有する発明は現時点では発見されていないが、関連する技術分野の先行技術としては以下に示すような文献が知られている。
【０００３】
特許文献１には「鳥害防止装置」という名称で、柱上変圧器上への営巣を防止する鳥害防止装置に関する発明が開示されている。
特許文献１に開示される発明は本願発明と同一の出願人によるものであり、特許文献１中に記載される符号をそのまま用いて説明すると、軸を中心として回転可能に設けられた鳥害防止部１３０と、鳥害防止部１３０が回転可能な状態で軸を支持するアーム部１２０と、アーム部１２０が設けられ、電柱１０２に固定されるバンド部１１０と、を備えた鳥害防止装置１００であり、この鳥害防止装置１００によれば、鳥害防止装置１００を柱上変圧器１０１に直接固定あるいは接触させることなく、柱上変圧器１０１に対する営巣を防止することができる。
【０００４】
特許文献２には「鳥害防止器」という名称で、配電施設における鳥害防止装置に関する考案が開示されている。
特許文献２に開示される考案である鳥害防止器は、配電施設の一般構成材に取付けるものであって、平板体の外表面に配列する多数の針状体をもち、その針状体は、頭部が硬質材で構成されており、その胴部は可とう性を持つ軟質材により構成されるものである。
上述のような特許文献２に開示される考案によれば、配電施設に対して何らかの工事を行う際に、作業員が鳥害防止器に乗るなどして荷重をかけても装置本体や針状体が折損するおそれがない。また、特許文献２に開示される鳥害防止器によれば、その収納保管時にも装置の破損を好適に防止できる。
【０００５】
特許文献３には「送電施設の鳥害防止装置」という名称で、送電施設における鳥類の飛来を排除して鳥害事故を防止するための鳥害防止装置に関する発明が開示されている。
特許文献３に開示される発明は、絶縁基材の所望面に多数の針状突刺体を突設した有棘体を、送電施設の各部位へ取り付け可能に形成したことを特徴とするものである。
上述のような特許文献３に開示される発明によれば、簡単な構造で取付けも容易に行うことができ、しかも、全ての送電設備への取付けが短期間で完了でき、取付け後は鳥害事故の発生を防止できる。
【先行技術文献】
【特許文献】
【０００６】
【特許文献１】特開２０１２−５３７６号公報
【特許文献２】実開平４−６４９２９号公報
【特許文献３】特開昭６１−２３９８３２号公報
【発明の概要】
【発明が解決しようとする課題】
【０００７】
上述の特許文献１に開示される発明は柱上変圧器に直接取設されるものでないため、そもそも本願発明が有するような課題は有さない。
特許文献２，３に開示される考案や発明は、鳥害防止装置そのものに関する考案又は発明であり、やはり本願発明が有するような課題は有さない。
【０００８】
本発明はかかる従来の事情に対処してなされたものでありその目的は、柱上変圧器の蓋上に有棘状の営巣防止材を容易に着脱させることができる営巣防止材取付けアタッチメントおよびそれを用いた柱上変圧器営巣防止具を提供することにある。
【課題を解決するための手段】
【０００９】
上記目的を達成するため請求項１記載の発明である営巣防止材取付けアタッチメントは、柱上変圧器の蓋固定具上に突設される環状具に着脱可能に装着される営巣防止材取付けアタッチメントであって、環状具を着脱可能に挟持する第１の挟持部と、第１の挟持部に対して開口部の向きが逆転した状態で取設され、営巣防止材の水平材を着脱可能に挟持する第２の挟持部と、を有し、第１の挟持部は、断面コ又はＵ字形の平板材からなる第１の挟持用板バネと、その内側面上に突設される少なくとも１つの突起とを具備し、第２の挟持部は、断面コ又はＵ字形の平板材からなる第２の挟持用板バネからなり、環状具を第１の挟持部で挟持した際に、突起は環状具の孔に挿入されて環状具と嵌合構造を形成することを特徴とするものである。
上記構成の請求項１記載の発明において、第１の挟持部は柱上変圧器の蓋固定具上に突設される環状具を着脱可能に挟持するという作用を有する。また、第１の挟持部を構成する断面コ又はＵ字形の平板材からなる第１の挟持用板バネは、板バネの弾性力を利用して環状具の孔を塞ぐように環状具を挟持するという作用を有する。さらに、第１の挟持用板バネの内側面上に突設される少なくとも１つの突起は、環状具を第１の挟持用板バネにより挟持する際に、環状具の孔に侵入して環状具と嵌合構造を形成して、第１の挟持用板バネが環状具から外れるのを妨げるという作用を有する。
断面コ又はＵ字形の平板材からなる第２の挟持用板バネからなる第２の挟持部は、第１の挟持部に対して開口部の向きが逆転した状態で取設されることで、環状具と対向する方向に配される営巣防止材の水平材を着脱可能に保持するという作用を有する。
請求項１記載の発明によれば、柱上変圧器の蓋の環状具に着脱可能に装着されて、営巣防止材をワンタッチで着脱可能に保持するという作用を有する。
【００１０】
請求項２記載の発明である営巣防止材取付けアタッチメントは、請求項１に記載の営巣防止材取付けアタッチメントであって、第２の挟持用板バネは、対向して配される平板材同士の幅が狭まったくびれ部を具備することを特徴とするものである。
上記構成の請求項２に記載の発明は、請求項１記載の発明と同じ作用に加えて、第２の挟持用板バネが、対向して配される平板材同士の幅が狭まったくびれ部を具備していることで、第２の挟持部において挟持される営巣防止材の水平材の外れを好適に防ぐという作用を有する。
【００１１】
請求項３記載の発明である営巣防止材取付けアタッチメントは、請求項１又は請求項２に記載の営巣防止材取付けアタッチメントであって、第２の挟持用板バネは、第１の挟持用板バネの折り返し部に埋め込まれていることを特徴とするものである。
上記構成の請求項３に記載の発明は、請求項１又は請求項２に記載の発明と同じ作用に加えて、１つの板バネで第１の挟持部と第２の挟持部の２つを同時に形成可能にするという作用を有する。
【００１２】
請求項４記載の発明である柱上変圧器営巣防止具は、請求項１乃至請求項３のいずれか１項に記載の営巣防止材取付けアタッチメントと、この営巣防止材取付けアタッチメントに着脱可能に保持される営巣防止材と、を有し、この営巣防止材は、第２の挟持部により着脱可能に保持される網部と、この網部上に直接又は間接的に突設される多数の棘部と、を備えることを特徴とするものである。
上記構成の請求項４に記載の発明において、営巣防止材取付けアタッチメントの作用は請求項１乃至請求項３のそれぞれの発明と同じである。また、網部は多数の棘部を林立した状態で直接又は間接的に支持するという作用を有する。
このような請求項４記載の発明によれば、柱上変圧器の蓋体に着脱可能に営巣防止材を保持可能にするという作用を有する。
【発明の効果】
【００１３】
本発明の請求項１記載の発明によれば、柱上変圧器の蓋の環状具に着脱可能に装着することができかつ、その第２の挟持部により営巣防止材を着脱可能に保持することができる。
また、請求項１記載の発明は、柱上変圧器の蓋の環状具に工具等を一切使用することなく取り付けることができ、しかも、繰り返し使用することができる。しかも、その作業は、柱上変圧器の蓋の環状具をクリップ状の第１の挟持部で挟持するだけであるため極めて容易である。
この結果、柱上変圧器の蓋への営巣防止材の取付け又は取り外し作業を簡便化できるので、柱上変圧器へのメンテナンス作業及び柱上変圧器への営巣防止材の着脱作業の作業効率を高めることができる。また、柱上変圧器の蓋への営巣防止材の取付け又は取り外しにあたり、従来のようにごみ（使用済の固定バンド）も出ないので、環境への負荷も低減できる。
【００１４】
請求項２記載の発明は、請求項１記載の発明と同じ効果に加えて、第２の挟持部から営巣防止材の水平材が外れるのを好適に防止することができる。
【００１５】
請求項３記載の発明は、請求項１又は請求項２に記載の発明と同じ効果に加えて、第１，第２の挟持部を１つの部材で形成することができるので、その製造を容易にするとともに、その製造コストを廉価にできるという効果を有する。
【００１６】
請求項４記載の発明によれば、柱上変圧器の蓋に営巣防止材を着脱自在に取設できる柱上変圧器営巣防止具を提供することができる。
このような請求項４記載の発明によれば、柱上変圧器のメンテナンス時にその蓋からワンタッチで営巣防止材を取り外すことができる。また、メンテナンス終了時には再びその蓋にワンタッチで営巣防止材を設置することができる。さらに、柱上変圧器の蓋上に配される環状具に取設される営巣防止材取付けアタッチメントは着脱容易であり、しかも繰り返し使用することができる。
上述のような請求項４記載の発明によれば、柱上変圧器上において好適に営巣防止効果を発揮させつつ、柱上変圧器のメンテナンス作業の妨げにならない柱上変圧器営巣防止具を提供することができる。
【図面の簡単な説明】
【００１７】
【図１】本発明品の取付け対象である柱上変圧器の斜視図である。
【図２】本発明の実施例１に係る営巣防止材取付けアタッチメントの概念図である。
【図３】本発明の実施例１に係る営巣防止材取付けアタッチメントを環状具に装着した状態を示す斜視図である。
【図４】本発明の実施例１に係る営巣防止材取付けアタッチメントを環状具に装着した状態の断面図である。
【図５】柱上変圧器の蓋上に取設する営巣防止材の一部を欠いて示す斜視図である。
【図６】本発明の実施例１に係る営巣防止材取付けアタッチメントを柱上変圧器の環状具に装着した状態を示す斜視図である。
【図７】本発明の実施例１に係る営巣防止材取付けアタッチメントに網部を装着した状態を示す斜視図である。
【図８】本発明の実施例２に係る柱上変圧器営巣防止具の概念図である。
【図９】本発明の第１の変形例に係る営巣防止材取付けアタッチメントの概念図である。
【図１０】本発明の第２の変形例に係る営巣防止材取付けアタッチメントの断面図である。
【図１１】本発明の第３の変形例に係る営巣防止材取付けアタッチメントの断面図である。
【発明を実施するための形態】
【００１８】
本発明の実施の形態に係る営巣防止材取付けアタッチメントおよびそれを用いた柱上変圧器営巣防止具について図１乃至図１１を参照しながら詳細に説明する。
【００１９】
まず、本発明に係る営巣防止材取付けアタッチメント及び柱上変圧器営巣防止具について説明する前に、これらの装着対象である柱上変圧器について図１を参照しながら簡単に説明する。
図１は本発明品の取付け対象である柱上変圧器の斜視図である。
図１に示すように柱上変圧器７は主に、絶縁用のオイルに浸漬された鉄芯及びコイルを収容する外箱８とその蓋９と、この蓋９を固定するための蓋固定具１０とにより構成されている。
そして、蓋固定具１０は、蓋９の上面に配置される環状具１１を備えており、本発明に係る営巣防止材取付けアタッチメント及び柱上変圧器営巣防止具は、図１に示す環状具１１を利用して装着するものである。
【実施例１】
【００２０】
本発明の実施例１に係る営巣防止材取付けアタッチメントについて図２乃至図４を参照しながら詳細に説明する。
図２は本発明の実施例１に係る営巣防止材取付けアタッチメントの概念図である。
図２に示すように、実施例１に係る営巣防止材取付けアタッチメント１Ａは主に、先の図１に示した柱上変圧器７における環状具１１を着脱可能に挟持する第１の挟持部２と、この第１の挟持部２の開口部３ｂに対して、開口部６ａの向きが逆転した状態で第１の挟持部２に取設される第２の挟持部５により構成されるものである。
より具体的には、実施例１に係る営巣防止材取付けアタッチメント１Ａでは、第１の挟持部２の折り返し部３ｃに、第２の挟持部５が一体に埋め込まれた構造になっている。
また、第１の挟持部２は、断面コ又はＵ字形の平板材からなる第１の挟持用板バネ３からなり、その内側面３ａ上に互いに対向して突設される一対の突起４，４を備えている。
さらに、第１の挟持部２の折り返し部３ｃにおいて断面凹状を成すように埋め込まれる第２の挟持部５は、断面コ又はＵ字形の平板材からなる第２の挟持用板バネ６からなるものである。
なお、実施例１に係る第２の挟持部５は、第１の挟持部２に埋め込まれて一体に構成されているため、第１の挟持部２（第１の挟持用板バネ３）の一部が第２の挟持用板バネ６としても機能しているといえる。
【００２１】
また、実施例１に係る営巣防止材取付けアタッチメント１Ａにおける第２の挟持部５は、水平方向に伸長して配設される棒状体を保持するためのものである。
この場合、第２の挟持用板バネ６を構成する平板材６ｃ，６ｃの幅Ｐが狭まったくびれ部６ｂを形成しておくことで、第２の挟持部５の開口部６ａから被保持対象物が外れるのを好適に防止できる。
また、第２の挟持部５の折り返し部とくびれ部６ｂとの間に形成されて被保持対象物を収容保持する中空部の幅Ｑは、棒状の被保持対象物の幅又は軸方向径よりも十分に大きく設定しておくことが望ましい。より具体的には、第２の挟持部５における中空部の鉛直方向断面における幅Ｑを、棒状の被保持対象物の幅又は軸方向径の少なくとも２倍以上に設定しておくとよい。
この場合、棒状の被保持対象物の伸長方向と、第２の挟持部５の折り返し部の最下底部の伸長方向が必ずしも一致しない場合でも、第２の挟持部５で棒状の被保持対象物を保持することができる。つまり、第２の挟持部５と被保持対象物との間に隙間が形成されることで、被保持対象物のねじれによる位置ズレを吸収することが可能になる。
なお、実施例１に係る営巣防止材取付けアタッチメント１Ａは、柱上変圧器７に直接接触した状態で使用されるものであるため、絶縁体により構成されることが望ましい。よって、営巣防止材取付けアタッチメント１Ａは、合成樹脂を成形して作製するとよい。この場合、実施例１に係る営巣防止材取付けアタッチメント１Ａを廉価に量産可能にするというメリットも期待できる。
【００２２】
次に、図３を参照しながら実施例１に係る営巣防止材取付けアタッチメント１Ａの装着状態及び装着方法について説明する。
図３は本発明の実施例１に係る営巣防止材取付けアタッチメントを環状具に装着した状態を示す斜視図である。また、図４は本発明の実施例１に係る営巣防止材取付けアタッチメントを環状具に装着した状態の断面図（図３中のＡ−Ａ線矢視断面図）である。なお、図１又は図２に記載されたものと同一部分については同一符号を付し、その構成についての説明は省略する。
実施例１に係る営巣防止材取付けアタッチメント１Ａを、先の図１に示すような柱上変圧器７の環状具１１に装着するには、図２に示す営巣防止材取付けアタッチメント１Ａの第１の挟持用板バネ３の開口部３ｂを押し広げて、環状具１１の孔１２を第１の挟持用板バネ３で塞ぐように取設すればよい。
この時、環状具１１の孔１２に第１の挟持用板バネ３の内側面３ａに突設される突起４を挿入してやることで、第１の挟持用板バネ３の弾性力による環状具１１の挟持作用に加え、図４の断面図に示されるように、環状具１１の孔１２と突起４により嵌合構造が形成されて、環状具１１からの営巣防止材取付けアタッチメント１Ａの外れを好適に防止できる。
なお、環状具１１から実施例１に係る営巣防止材取付けアタッチメント１Ａを取り外す場合は、営巣防止材取付けアタッチメント１Ａの第１の挟持用板バネ３の開口部３ｂを押し広げて、孔１２から突起４を外しながら第１の挟持用板バネ３を環状具１１から離間させればよい。
【００２３】
なお、図２乃至図４に示すように、実施例１に係る営巣防止材取付けアタッチメント１Ａを、第１の挟持用板バネ３の折り返し部に第２の挟持部５を埋め込んだ形態にする場合は、環状具１１に営巣防止材取付けアタッチメント１Ａを装着した際に、第２の挟持部５の折り返し部が環状具１１に接触することがないように第２の挟持部５の鉛直方向の大きさを適宜調整しておく必要がある。
【００２４】
続いて、実施例１に係る営巣防止材取付けアタッチメント１Ａを用いて図１に示すような柱上変圧器７の蓋９上に営巣防止材を取設する手順について図５乃至図７を参照しながら詳細に説明する。
図５は柱上変圧器の蓋上に取設する営巣防止材の一部を欠いて示す斜視図である。また、図６は本発明の実施例１に係る営巣防止材取付けアタッチメントを柱上変圧器の環状具に装着した状態を示す斜視図である。さらに、図７は本発明の実施例１に係る営巣防止材取付けアタッチメントに網部を装着した状態を示す斜視図である。なお、図１乃至図４に記載されたものと同一部分については同一符号を付し、その構成についての説明は省略する。
まず、図５を参照しながら図１に示すような柱上変圧器７の蓋９上に取設される鳥類忌避部１６の形態について説明する。
本発明において使用される鳥類忌避部１６は、例えば図５に示すように平板状のメッシュ材１７上に、多数の棘１８が林立した状態で突設されたものである。なお、メッシュ材１７は単なる平板材でもよいが、メッシュ材１７の方が放熱性に優れている。また、この鳥類忌避部１６は、メッシュ材１７の下面側（棘１８が突設されない側の面）に可撓材からなる鉤状の係止具１９が、面ファスナのオス面のように多数密集した状態で突設されている。
なお、この鳥類忌避部１６は柱上変圧器７の蓋９上に浮き上がった状態で設置されるので、鳥類忌避部１６を取設することで柱上変圧器７の放熱性が著しく妨げられることはないが、鳥類忌避部１６の平板体１７をメッシュ材により構成すればそのような懸念もなくなる。
なお、鳥類忌避部１６を構成する各パーツは絶縁性を有していることが望ましいため合成樹脂製にするとよい。
【００２５】
図５に示すような鳥類忌避部１６を柱上変圧器７の蓋９上に取設するには、まず、図１に示す柱上変圧器７の環状具１１の全てに対して、上述した手順にて実施例１に係る営巣防止材取付けアタッチメント１Ａを装着する。なお、蓋９上に配置される全ての環状具１１に実施例１に係る営巣防止材取付けアタッチメント１Ａを装着した状態を示したものが図６である。
この後、環状具１１に装着されたそれぞれの営巣防止材取付けアタッチメント１Ａの第２の挟持部５（図２乃至図４を参照）に、網部１３の水平材１３ａを嵌設する。この場合、網部１３の水平材１３ａは、第２の挟持部５の開口部６ａ（図２を参照）からその折り返し部に向かって押し込むだけでよい。また、この第２の挟持部５から網部１３の水平材１３ａを取り外す場合は、第２の挟持部５の中空部内に収容される水平材１３ａを開口部６ａ側に引き上げるだけでよい。なお、環状具１１に装着される営巣防止材取付けアタッチメント１Ａに、網部１３の水平材１３ａを装着した状態を示したものが図７である。
すなわち、実施例１に係る営巣防止材取付けアタッチメント１Ａを用いることで、柱上変圧器７の蓋９上に網部１３をワンタッチで着脱させることができる。
なお、実施例１に係る営巣防止材取付けアタッチメント１Ａに取設される網部１３も絶縁性を有していることが望ましいため、網部１３は合成樹脂製により構成するとよい。
【００２６】
さらに、営巣防止材取付けアタッチメント１Ａに装着された網部１３に先の図５に示す鳥類忌避部１６の平板体１７を押し付けることで、平板体１７の裏面側に突設される鉤状の係止具１９が網部１３の水平材１３ａに絡まって係止して、網部１３上に鳥類忌避部１６を固定することができる（後段に示す図８を参照）。
なお、先にも述べたが、鳥類忌避部１６における係止具１９は可撓材により構成されているので、網部１３から平板体１７を引き剥がすように力を加えることで、鉤状の係止具１９が伸びて網部１３から外れて、網部１３から鳥類忌避部１６を離間させることができる。つまり、網部１３への鳥類忌避部１６の着脱もワンタッチで行うことができる。
なお、網部１３と鳥類忌避部１６とを組み合わせたものが営巣防止材である。
【００２７】
このように、実施例１に係る営巣防止材取付けアタッチメント１Ａによれば、工具等を用いることなくワンタッチで網部１３を着脱させることができる（図７を参照）。さらに、網部１３への鳥類忌避部１６（図５を参照）の着脱もワンタッチで行うことができる（後段に示す図８を参照）。
よって、柱上変圧器７への鳥類忌避部１６の着脱が極めて容易になる。
従って、実施例１に係る営巣防止材取付けアタッチメント１Ａによれば、柱上変圧器７への網部１３及び鳥類忌避部１６からなる営巣防止材の着脱を、工具を用いることなくスムースに行えるので、柱上変圧器７の蓋９上への鳥類による営巣を好適に防止しつつ、柱上変圧器７のメンテナンス作業の作業効率も向上できる。
【実施例２】
【００２８】
実施例２に係る柱上変圧器営巣防止具について図８を参照しながら詳細に説明する。
図８は本発明の実施例２に係る柱上変圧器営巣防止具の概念図である。なお、図１乃至図７に記載されたものと同一部分については同一符号を付し、その構成についての説明は省略する。
実施例２に係る柱上変圧器営巣防止具２０は、上述の実施例１に係る営巣防止材取付けアタッチメント１Ａと、この営巣防止材取付けアタッチメント１Ａに着脱自在に取設される営巣防止材（網部１３及び鳥類忌避部１６）とにより構成されるものである。なお、個々の構成要素の作用、効果については、先の実施例１に係る営巣防止材取付けアタッチメント１Ａの使用方法において述べた通りであるため、ここではそれぞれの作用、効果についての詳細な説明を省略する。
このような実施例２に係る柱上変圧器営巣防止具２０によれば、柱上変圧器７の蓋９上において容易に営巣防止材を着脱させることができる柱上変圧器営巣防止具を提供できる。
この結果、柱上変圧器７の蓋９上への鳥類の営巣を好適に防止しつつ、柱上変圧器７のメンテナ作業を容易にできる。
【００２９】
なお、図８では網部１３を介して鳥類忌避部１６を取設する場合を例に挙げて説明しているが、鳥類忌避部１６における棘１８を網部１３に直接突設して、網部１３と鳥類忌避部１６を一体に構成したものを使用することもできる。
この場合、上述の効果に加えて、実施例２に係る柱上変圧器営巣防止具２０の製造コストを安くできるというメリットがある。
【００３０】
最後に実施例１に係る営巣防止材取付けアタッチメント１Ａの変形例について図９乃至図１１を参照しながら説明する。
なお、変形例に係る営巣防止材取付けアタッチメントはいずれも、営巣防止材取付けアタッチメント１Ａと形態が異なるものの、その機能及び使用方法は実施例１に係る営巣防止材取付けアタッチメント１Ａと実質的には同じである。よって、ここでは実施例１に係る営巣防止材取付けアタッチメント１Ａとの構造上の相違点に重点をおいて説明する。
【００３１】
図９は本発明の第１の変形例に係る営巣防止材取付けアタッチメントの概念図である。なお、図１乃至図８に記載されたものと同一部分については同一符号を付し、その構成についての説明は省略する。
図９に示す第１の変形例に係る営巣防止材取付けアタッチメント１Ｂは、先の営巣防止材取付けアタッチメント１Ａと比べて、突起４の取付け位置及び大きさ（高さ）が異なるものである。
第１の変形例に係る営巣防止材取付けアタッチメント１Ｂでは、第１の挟持用板バネ３の内側面３ａ上に突設される突起４が、第１の挟持用板バネ３の中空部内において対向して配される代わりに、互い違いになるよう配されている。また、第１の変形例に係る営巣防止材取付けアタッチメント１Ｂでは、突起４の第１の挟持用板バネ３の内側面３ａからの高さが、開口部３ｂの幅と一致している。さらに、第１の変形例に係る営巣防止材取付けアタッチメント１Ｂでは、突起４の水平方向の幅を、第１の挟持用板バネ３の水平方向の幅の、例えば、半分に設定して、双方の突起４に十分な強度を付与している。
このような突起４を備えた場合も、環状具１１の孔１２と嵌合構造を形成して、環状具１１に営巣防止材取付けアタッチメント１Ｂの外れを防止できる。
なお、図９では、第１の挟持用板バネ３の中空部に互い違いとなるように一対の突起４が突設される場合を例に挙げて説明しているが、図９に示す形態をさらに複雑化して、第１の挟持用板バネ３の中空部に櫛歯状に突起４を突出させておき、この突起４同士を互いに嵌合させてもよい。この場合、突起４同士が嵌合構造を形成することで、環状具１１からの営巣防止材取付けアタッチメント１Ｂを一層外れにくくすることができる。
【００３２】
図１０は本発明の第２の変形例に係る営巣防止材取付けアタッチメントの断面図である。なお、図１乃至図９に記載されたものと同一部分については同一符号を付し、その構成についての説明は省略する。
図１０に示すように、第２の変形例に係る営巣防止材取付けアタッチメント１Ｃは、第１の挟持部２と第２の挟持部５とを別体に構成しておき、それぞれを背中合わせにして一体に固設したものである。
実施例１に係る営巣防止材取付けアタッチメント１Ａでは、第１の挟持用板バネ３の折り返し部に第２の挟持部５を埋め込んで一体としているため、第２の挟持部５の大きさを、第１の挟持部２（第１の挟持用板バネ３）の開口部３ｂ幅よりも小さくする必要があった。
これに対して第２の変形例に係る営巣防止材取付けアタッチメント１Ｃでは、第２の挟持部５の大きさが、第１の挟持部２の大きさによって制限されないので、より大きな第２の挟持部５を取設することが可能になる。
この場合、第２の挟持部５において保持可能な水平材を太くできるので、より頑丈で耐久性に優れた柱上変圧器営巣防止具２０（実施例２に係る発明）を提供することができる。
【００３３】
図１１は本発明の第３の変形例に係る営巣防止材取付けアタッチメントの概念図である。なお、図１乃至図１０に記載されたものと同一部分については同一符号を付し、その構成についての説明は省略する。
第３の変形例に係る営巣防止材取付けアタッチメント１Ｄは、第２の変形例に係る第１の挟持部２と第２の挟持部５とを、例えば、割ピン等の連結具１５を用いて一体に固定し、連結具１５を基軸にして第２の挟持部５を第１の挟持部２に対して回動可能に取設したものである。なお、第２の挟持部５と連結具１５の干渉を防止するため、第２の挟持部５の外周を枠体１４で囲ったものを用いてもよい。
この場合、構造がやや複雑になるが、水平材１３ａがどの方向に伸長していても第２の挟持部５で保持することが可能になる。
【００３４】
なお、第１の変形例に係る営巣防止材取付けアタッチメント１Ｂにおける突起４を、第２，第３のそれぞれの変形例に係る営巣防止材取付けアタッチメント１Ｃ，１Ｄに備えてもよい。
この場合、第２，第３の変形例に係る営巣防止材取付けアタッチメント１Ｃ，１Ｄによるそれぞれの効果に、第１の変形例に係る営巣防止材取付けアタッチメント１Ｂの効果を付加することができる。
【産業上の利用可能性】
【００３５】
以上説明したように本発明は、柱上変圧器の蓋上に営巣防止材を着脱容易に取設するための営巣防止材取付けアタッチメント及びそれを用いた柱上変圧器営巣防止具に関するものであり、電力設備に関する技術分野において利用可能である。
【符号の説明】
【００３６】
１Ａ〜１Ｄ…営巣防止材取付けアタッチメント  ２…第１の挟持部  ３…第１の挟持用板バネ  ３ａ…内側面  ３ｂ…開口部  ３ｃ…折り返し部  ４…突起  ５…第２の挟持部  ６…第２の挟持用板バネ  ６ａ…開口部  ６ｂ…くびれ部  ６ｃ…平板材  ７…柱上変圧器  ８…外箱  ９…蓋  １０…蓋固定具  １１…環状具  １２…孔  １３…網部  １３ａ…水平材  １４…枠体  １５…連結具  １６…鳥類忌避部  １７…平板体  １８…棘  １９…係止具  ２０…柱上変圧器営巣防止具
【図１】
2015080420.tif 000003
【図２】
2015080420.tif 000004
【図３】
2015080420.tif 000005
【図４】
2015080420.tif 000006
【図５】
2015080420.tif 000007
【図６】
2015080420.tif 000008
【図７】
2015080420.tif 000009
【図８】
2015080420.tif 000010
【図９】
2015080420.tif 000011
【図１０】
2015080420.tif 000012
【図１１】
2015080420.tif 000013